(57)【要約】【課題】簡素かつ廉価な構造でインクの乾燥を防止できるスタンプ台を提供する。【解決手段】スタンプ台１の基台１１と、前記基台に装着され、速乾性インクを含浸したインク含浸体１２と、前記基台に装着されて、当該基台との間に前記インク含浸体を収納する蓋体１３と、前記蓋体に直接的又は間接的に固定され、閉蓋時に前記インク含浸体の表面に接触して覆う樹脂フィルム１４と、前記蓋体に固定され、又は前記蓋体と一体的に形成され、閉蓋時に前記樹脂フィルムの外周部を前記基台との間に挟む挟持体１５と、を備える。【選択図】  図１
0003207451.tif 000002
【実用新案登録請求の範囲】
【請求項１】
スタンプ台の基台と、
前記基台に装着され、速乾性インクを含浸したインク含浸体と、
前記基台に装着されて、当該基台との間に前記インク含浸体を収納する蓋体と、
前記蓋体に直接的又は間接的に固定され、閉蓋時に前記インク含浸体の表面に接触して覆う樹脂フィルムと、
前記蓋体に固定され、又は前記蓋体と一体的に形成され、閉蓋時に前記樹脂フィルムの外周部を前記基台との間に挟む挟持体と、を備えるスタンプ台。
【請求項２】
前記挟持体は、閉蓋時に前記樹脂フィルムを前記基台との間に挟むことで前記樹脂フィルムを前記インク含浸体の表面に万遍なく接触させる請求項１に記載のスタンプ台。
【考案の詳細な説明】
【技術分野】
【０００１】
本考案は、速乾性インクを用いたスタンプ台（朱肉台）に関するものである。
【背景技術】
【０００２】
この種の速乾性インクを用いたスタンプ台において、蝶板により連結された２枚の外装材と、これら両方の外装材のそれぞれにインク含浸体を設け、閉蓋状態の保存時において２つのインク含浸体の表面が接することで、インクの乾燥を防止したものが知られている（特許文献１）。
【先行技術文献】
【特許文献】
【０００３】
【特許文献１】特開２００９−１５４３０７号公報
【考案の概要】
【考案が解決しようとする課題】
【０００４】
しかしながら、上記従来のスタンプでは、一つのスタンプ台に２つのインク含浸体を設ける必要があり、コストが倍近くになるという問題がある。
【０００５】
本考案が解決しようとする課題は、簡素かつ廉価な構造でインクの乾燥を防止できるスタンプ台を提供することである。
【課題を解決するための手段】
【０００６】
本考案は、スタンプ台の基台と、前記基台に装着され、速乾性インクを含浸したインク含浸体と、前記基台に装着されて、当該基台との間に前記インク含浸体を収納する蓋体と、前記蓋体に直接的又は間接的に固定され、閉蓋時に前記インク含浸体の表面に接触して覆う樹脂フィルムと、前記蓋体に固定され、又は前記蓋体と一体的に形成され、閉蓋時に前記樹脂フィルムの外周部を前記基台との間に挟む挟持体と、を備えることで、上記課題を解決する。
【考案の効果】
【０００７】
本考案によれば、閉蓋すると樹脂フィルムがインク含浸体の表面に接触して覆うので、当該インク含浸体の表面から溶剤が蒸発するのを抑制することができる。この結果、簡素かつ廉価な構造でインクの乾燥を防止できるスタンプ台を提供することができる。
【図面の簡単な説明】
【０００８】
【図１】本考案の一実施の形態に係るスタンプ台を示す中心断面図である。
【図２】本考案の他の実施の形態に係るスタンプ台を示す中心断面図である。
【図３】本考案のさらに他の実施の形態に係るスタンプ台を示す中心断面図である。
【考案を実施するための形態】
【０００９】
本考案の実施形態に係るスタンプ台１は、スタンプや印鑑にインクを付着させるためのインク含浸体１２を備えたスタンプ台であり、スタンプ台１の基台１１と、基台１１に装着され、速乾性インクを含浸したインク含浸体１２と、基台１１に装着されて、当該基台１１との間にインク含浸体１２を収納する蓋体１３と、蓋体１３に直接的又は間接的に固定され、閉蓋時にインク含浸体１２の表面１２１に接触して覆う樹脂フィルム１４と、蓋体１３に固定され（図１及び図２参照）、又は前記蓋体と一体的に形成され（図３参照）、閉蓋時に樹脂フィルム１４の外周部を基台１１との間に挟む挟持体１５と、を備える。
【００１０】
基台１１は、金属、プラスチック、セラミック、木材など、その材質は特に限定されず、例えば、底面は載置し易いように平坦に形成され、表面の中央部にはインク含浸体１２を受容する凹部が形成され、表面の外周部には蓋体１３と係合する段部などが形成されてなる。
【００１１】
インク含浸体１２は、主としてインクを含浸する内部層と、当該内部層の表面に設けられてスタンプや印鑑が押し付けられる表布とを含んでよい。内部層は、種類の異なるフェルト材を多層構成で設けたものなどが使用できる。多層フェルトを構成するフェルト材としては、羊毛などの天然繊維またはポリエステル、アクリル、ポリアミドなどの合成繊維により単独または混合して形成されたフェルト材などが挙げられる。表布は、綿、絹等の天然繊維やポリエステル、アクリル等の合成繊維の繊編物、極細繊維を主体とする不織布などが使用でき、インキや用途に合わせて任意に選択することが可能である。表布の厚み、密度などを操作し、インキの吐出量や保持力などを用途に合わせてコントロールすることもできる。
【００１２】
インク含浸体１２に含浸させるインクは、速乾性インクであり、特に限定されないが例えば、ホルムアルデヒド樹脂、ベンジルアルコール、オクチルジフェニルフォスフェート、プロピレングリコールエーテル類、グリコールエーテル類及び染料を含む速乾性インキを含浸させることが好ましい。捺印目的とする面には、インクを吸収しない素材で構成されたものが少なくないが、こうした素材に対して常乾性インキを用いると、その面がインクによって滑るので印字がずれたりする。本例のような速乾性インクで捺印すると、捺印面が滑るのを防止でき、また捺印面の表面に捺印した印字が短時間で乾燥するので捺印後の取り扱い性も向上するというメリットがある。
【００１３】
蓋体１３は、基台１１と同様、金属、プラスチック、セラミック、木材など、その材質は特に限定されない。そして、閉蓋時には基台１１の外周部に係合するように、側面が形成され、閉蓋時には上面及び側面と基台１１との間にインク含浸体１２を収納する空間が形成される。なお本実施形態においては、後述する樹脂フィルム１４によってインク含浸体１２の乾燥を防止するので、この空間は密閉空間又はほぼ密閉空間でなくてもよい。
【００１４】
樹脂フィルム１４は、特に限定されないが、ポリエチレンフィルム、ポリプロピレンフィルム又はナイロンフィルムなど、速乾性インクに使用される溶剤に侵されず、廉価且つ入手が容易な樹脂フィルムを用いることができる。樹脂フィルム１４は、少なくとも基台１１から露出しているインク含浸体１２の表面を覆う大きさであればよいが、後述するように、閉蓋時に樹脂フィルム１４がインク含浸体１２の表面に万遍なく接触させるべく、基台１１から露出しているインク含浸体１２の表面より大きいことがより好ましい。樹脂フィルム１４の厚さは特に限定されず、長期間の使用によって破れたりすることのない厚さがあれば十分である。
【００１５】
挟持体１５は、基台１１や蓋体１３と同様、金属、プラスチック、セラミック、木材など、その材質は特に限定されない。挟持体１５は、図１及び図２に示すように蓋体１３に固定され、又は図３に示すように蓋体１３と一体的に形成され、閉蓋時に樹脂フィルム１４の外周部を基台１１との間に挟む補助的部材である。
【００１６】
図１に示す挟持体１５は、特に限定されないが、例えばポリエチレンテレフタレート、ポリ塩化ビニル、ポリスチレンなどの樹脂をブリスター成形により得たもので、蓋体１３の内側の凹部に嵌合する（接着してもよい）とともに、中央部に樹脂フィルム１４が固定されている。そして、閉蓋時には、樹脂フィルム１４がインク含浸体１２の表面に万遍なく接触するような寸法とされている。図１に示す挟持体１５は、樹脂フィルム１４のほぼ全面をインク含浸体１２の表面に押し付ける構造とされている。
【００１７】
図２に示す挟持体１５は、特に限定されないが、例えばポリエチレン、ポリプロピレン、エチレン酢酸ビニル共重合体、ポリウレタン、ポリスチレンなど、弾性を有する発泡樹脂を枠状に形成し、蓋体１３の内側の凹部に嵌合する（接着してもよい）とともに、樹脂フィルム１４の外周部が固定されている。そして、閉蓋時には、樹脂フィルム１４がインク含浸体１２の表面に万遍なく接触するように、挟持体１５は、当該樹脂フィルム１４の外周部を押圧する高さ寸法とされている。図２に示す挟持体１５は、樹脂フィルム１４の外周部を基台１１との間で挟持することで、樹脂フィルム１４を外側に向かってピンと引っ張り、インク含浸体１２の表面に押し付ける構造とされている。
【００１８】
図３に示す挟持体１５は、蓋体１３と一体的に形成された一例である。すなわち、蓋体１３の内側に枠状の凸部を一体的に成形し、この枠状の凸部を挟持体１５としたものである。枠状の凸部である挟持体１５に、樹脂フィルム１４の外周部が接着などによって固定されている。そして、閉蓋時には、樹脂フィルム１４がインク含浸体１２の表面に万遍なく接触するように、挟持体１５は、当該樹脂フィルム１４の外周部を押圧する高さ寸法とされている。図３に示す挟持体１５は、樹脂フィルム１４の外周部を基台１１との間で挟持することで、樹脂フィルム１４を外側に向かってピンと引っ張り、インク含浸体１２の表面に押し付ける構造とされている。
【００１９】
以上のとおり、図１〜図３に示すスタンプ台１によれば、使用時には蓋体１３を開けてインク含浸体１２にスタンプや印鑑を押しつけて使用するが、保管時には蓋体１３を閉じるだけで、当該蓋体１３に固定された樹脂フィルム１４がインク含浸体１２の表面に接触するので、速乾性インクを用いたスタンプ台１であっても、溶剤の蒸発を抑えインクの乾燥を、簡単且つ廉価な構成で防止することができる。
【符号の説明】
【００２０】
１…スタンプ台
１１…基台
１２…インク含浸体
１２１…表面
１３…蓋体
１４…樹脂フィルム
１５…挟持体
【図１】
0003207451.tif 000003
【図２】
0003207451.tif 000004
【図３】
0003207451.tif 000005